(57)【要約】      （修正有）【課題】プッシュボタン式バックルのプッシュボタンが外部からの接触を受けて意図せずにバックルが外れてしまわないように、プッシュボタンをロックするロック機構付バックルを提供する。【解決手段】バックル２０を構成する上箱３０は、バンド８０の一端に取り付けられる上箱本体４０と、バンド８５の他端に取り付けられて上箱３０と連結する連結部材７０，７５に設けられた係止用突起７６を係止するための係止孔を有するプッシュボックスとを備える。プッシュボックスは、プッシュボタン５１に連動してバンドの幅方向に作動する一対の突状部を反係止孔側に有し、上箱本体４０とプッシュボックスの間に介在してバンドの長手方向にスライドするロック部材が、一対の突状部の間に挿入可能な突起片を備えることで、プッシュボタン５１の操作を規制しプッシュボタン５１をロックできる。【選択図】図１
0003172899.tif 000002
【実用新案登録請求の範囲】
【請求項１】
バンドの着脱のために用いられるプッシュボタン式のバックルであって、
バックルを構成する上箱は、バンドの一端に取り付けられる上箱本体と、バンドの他端に取り付けられて上箱と連結する連結部材に設けられた係止用突起を係止するための係止孔を有するプッシュボックスとを備えて、
プッシュボックスは、上箱本体の両側面部から表出する一対のプッシュボタンに連動して係止孔での係止用突起の係止を制御するとともに、プッシュボタンに連動してバンドの幅方向に作動する一対の突状部を反係止孔側に有し、
上箱本体とプッシュボックスの間に介在してバンドの長手方向にスライドするロック部材が、一対の突状部の間に挿入可能な突起片を備えることで、プッシュボタンの操作を規制しプッシュボタンをロックすることを特徴としたロック機構付きバックル。
【請求項２】
ロック部材は、上箱本体の上面部に表出してロック部材のスライドを操作する操作部を備えることを特徴とした請求項１記載のロック機構付きバックル。
【請求項３】
上箱本体は、ロック部材との接触面にロック部材の凸部と嵌合可能な凹部を備えるとともに、その凹部はロック部材がプッシュボタンをロックする位置とロックしない位置の２箇所に設けることを特徴とした請求項１又は２記載のロック機構付きバックル。
【請求項４】
請求項１，２又は３記載のロック機構付きバックルを備えることを特徴とした時計バンド。
【請求項５】
請求項４記載の時計バンドを備えることを特徴とした腕時計。
【考案の詳細な説明】
【技術分野】
【０００１】
本願考案は、バンドの着脱のために用いられるプッシュボタン式バックルに関するものである。
【背景技術】
【０００２】
腕時計バンドのバックルとして広く普及してるプッシュボタン式バックルは、プッシュボタンの操作によってバンドの着脱が行われるが、そのプッシュボタンが外部からの接触を受けて意図せずにバックルが外れてしまうという危険性を有していた。これを防止するために、特許文献１などの技術が開発されてきた。
【先行技術文献】
【特許文献】
【０００３】
【特許文献１】特開平７−２８９３１６号公報
【考案の概要】
【考案が解決しようとする課題】
【０００４】
特許文献１に開示された技術は、図６に示すように、プッシュボタン１３を備える上蓋１２を覆った状態に被せられる安全蓋１４を具備することで、プッシュボタン１３が外部からの接触を物理的に受けないようにするものである（符号は、図６に示す特許文献１の図面に関するもの）。
これに対して、本願考案者は、特許文献１などの従来の技術とは全く異なる発想・技術でこれまでにない新規なバックル構造を提供することを目的として、本願考案を完成するに至った。
【課題を解決するための手段】
【０００５】
本願考案の内容は、以下の通りである。
第１の考案は、バンドの着脱のために用いられるプッシュボタン式のバックルであって、バックルを構成する上箱は、バンドの一端に取り付けられる上箱本体と、バンドの他端に取り付けられて上箱と連結する連結部材に設けられた係止用突起を係止するための係止孔を有するプッシュボックスとを備えて、プッシュボックスは、上箱本体の両側面部から表出する一対のプッシュボタンに連動して係止孔での係止用突起の係止を制御するとともに、プッシュボタンに連動してバンドの幅方向に作動する一対の突状部を反係止孔側に有し、上箱本体とプッシュボックスの間に介在してバンドの長手方向にスライドするロック部材が、一対の突状部の間に挿入可能な突起片を備えることで、プッシュボタンの操作を規制しプッシュボタンをロックすることを特徴としたロック機構付きバックルである。
第２の考案は、ロック部材が、上箱本体の上面部に表出してロック部材のスライドを操作する操作部を備えることを特徴とした同ロック機構付きバックルである。
第３の考案は、上箱本体が、ロック部材との接触面にロック部材の凸部と嵌合可能な凹部を備えるとともに、その凹部はロック部材がプッシュボタンをロックする位置とロックしない位置の２箇所に設けることを特徴とした同ロック機構付きバックルである。
第４の考案は、上記ロック機構付きバックルを備えることを特徴とした時計バンドである。
第５の考案は、上記時計バンドを備えることを特徴とした腕時計である。
【考案の効果】
【０００６】
本願考案によれば、以下のような効果を有する。
（１）上箱本体とプッシュボックスの間に介在するロック部材がバンドの長手方向にスライドすることで、ロック部材の突起片がプッシュボックスに設けられた一対の突状部の間に挿入し、一対の突状部と連動するプッシュボタンの操作が規制されてプッシュボタンをロックすることができるようになる。
（２）ロック部材が、上箱本体の上面部に表出してロック部材のスライドを操作する操作部を備えることで、プッシュボタンのロックを「かける（ＯＮ）」又は「かけない（ＯＦＦ）」とするためのスライドを簡易且つ確実に実施できる。
（３）上箱本体が、ロック部材との接触面にロック部材の凸部と嵌合可能な凹部を備えるとともに、その凹部はロック部材がプッシュボタンをロックする位置とロックしない位置の２箇所に設けることで、ロック部材の凸部がプッシュボタンをロックする位置とロックしない位置の各凹部で嵌合する。そして、そのクリック感でロック部材が両位置を確実に認識できるとともに両位置で確実に維持・固定できる。
【図面の簡単な説明】
【０００７】
【図１】本願考案に係る実施形態を示す説明図（全体斜視図）。
【図２】本願考案に係る実施形態を示す説明図（上箱底面図）。
【図３】本願考案に係る実施形態を示す説明図（上箱分解図）。
【図４】本願考案に係る実施形態を示す説明図（プッシュボックス分解図）。
【図５】本願考案に係る実施形態を示す説明図（上箱平面図）。
【図６】従来技術（特許文献１）に関する説明図（全体斜視図）。
【考案を実施するための形態】
【０００８】
本願考案の実施形態を図面に基づいて説明する。
図１は、本願考案「ロック機構付きバックル」に係る実施形態を全体斜視図で図示したものである。
ロック機構付きバックル（以下「バックル」という）２０は、上箱３０とこれに三折り状態で連結可能な連結部材（中板７０，下板７５）とで構成されている。なお、符号８０，８５はバックル２０を取り付けているバンドである。
【０００９】
図２は上箱３０を底面から図示した底面図であり、図３は図２の底面図から上箱３０を分解した分解斜視図である。
図示するように、上箱３０は、上箱本体４０とプッシュボックス５０とロック部材６０とを備えている。
上箱本体４０は断面略コ字形をしており、バンド８０の一端に取り付けられる。また、プッシュボックス５０は上箱本体４０の両側面部４２に設けられたボタン孔４３から表出する一対のプッシュボタン５１を有するとともに、下板７５に設けられた係止用突起７６を係止するための係止孔５５を有する。
【００１０】
図４は、プッシュボックス５０の分解斜視図である。
図４（ａ）に図示するように、プッシュボックス５０はプッシュボタン５１を構成する先端鉤形形状のボタン用板材５２，５２をスプリング５８によって付勢状態で組み合わせ、これをカバー部材５９でカバーしている。そして、係止孔５５に挿入された係止用突起７６は、ボタン用板材５２の鉤形部５３に挟まれて係止状態となる。一方、プッシュボタン５１を押すとボタン板５２の鉤形部５３は相互に離反し係止状態が解除されて、係止用突起７６は係止孔５５から外れることになる（プッシュボタン５１に連動して係止孔５５での係止用突起７６の係止を制御する）。
【００１１】
また、プッシュボックス５０は、同じスプリング５８によって略Ｌ字形部材を付勢状態で組み合わせて、係止孔５５と反対側に突状部５７を設けている。この突状部５７は、プッシュボタン５１に連動してバンド８０，８５の幅方向に作動する。すなわち、プッシュボタン５１を押すとプッシュボタン５１の押された方向に突状部５７も作動して、突状部５７と突状部５７が接近する。プッシュボタン５１を押すことを止めると元の付勢状態に戻り、突状部５７と突状部５７が離反する。
【００１２】
図５は、上箱３０を平面から図示した平面図である。なお、ここではロック部材６０とプッシュボックス５０（特に突状部５７）の動作が重要であるので、上箱本体４０を透視した一部透視図になっている。
図３に図示したロック部材６０は、上箱本体４０とプッシュボックス５０の間に介在してバンド８０，８５の長手方向にスライドするとともに、一対の突状部５７，５７の間に挿入可能な突起片６１をその一端に備えている。そして、図５（上図）に図示するように、突状片６１が突状部５７，５７の間に位置しない場合は、プッシュボタン５１の操作は自由に行える。
【００１３】
しかし、図５（下図）に図示するように、突状片６１が突状部５７，５７の間に位置した場合は、プッシュボタン５１の操作を規制し、プッシュボタン５１をロックすることになる。すなわち、突状片６１が突状部５７，５７の間に介在するので突状部５７と突状部５７の接近が不可能になる。従って、突状部５７と連動するプッシュボタン５１の作動も不可能になるためである。このプッシュボタン５１のロックを解除するためには、ロック部材６０を反突状部側へスライドさせて、突状片６１が突状部５７，５７の間に介在しない状態（図５上図）にすればよい。
【００１４】
ロック部材６０は、上箱本体４０の上面部４１に表出してロック部材６０のスライドを操作する操作部６２を備えるとよい（図１及び図３等参照）
また、上箱本体４０は、ロック部材６０との接触面にロック部材６０の凸部６３と嵌合可能な凹部４４を備えるとよい。ここで、その凹部４４はロック部材６０がプッシュボタン５１をロックする位置とロックしない位置の２箇所に設けるとよい。
【産業上の利用可能性】
【００１５】
本願考案は、時計バンドや装身具のバンドの他、ものを締結する際に用いられるバンド・ベルト類などにも幅広く利用できるものである。
【符号の説明】
【００１６】
２０  ロック機構付きバックル（バックル）
３０  上箱
４０  上箱本体
４１  上面部
４２  側面部
４３  ボタン孔
４４  凹部
５０  プッシュボックス
５１  プッシュボタン
５２  ボタン用板材
５３  鉤形部
５５  係止孔
５７  突状部
５８  スプリング
５９  カバー部材
６０  ロック部材
６１  突起片
６２  操作部
６３  凸部
７０  中板（連結部材）
７５  下板（連結部材）
７６  係止用突起
８０  バンド
８５  バンド
【図１】
0003172899.tif 000003
【図２】
0003172899.tif 000004
【図３】
0003172899.tif 000005
【図４】
0003172899.tif 000006
【図５】
0003172899.tif 000007
【図６】
0003172899.tif 000008